【手続補正書】
【提出日】平成25年10月2日(2013.10.2)
【手続補正１】
【補正対象書類名】明細書
【補正対象項目名】０１６６
【補正方法】変更
【補正の内容】
【０１６６】
【表４】
2013506752.tif 000001
本開示は以下もまた包含する。
［１］  トリアジン基を含み、−４０℃未満のガラス転移温度を有する、フルオロポリエーテルエラストマーの製造方法であって、
ａ）
（ｉ）（−Ｃ4Ｆ8Ｏ−）、（−Ｃ3Ｆ6Ｏ−）、（−Ｃ2Ｆ4Ｏ−）、（−ＣＦ2Ｏ−）及びこれらの組み合わせから選択される反復部分を含有し、更に少なくとも１つの官能基を前記骨格鎖の、又は存在する場合には側鎖の、端末炭素原子に含有する、１つ以上の飽和フルオロポリエーテルであって、前記端末炭素原子は第一級又は第二級の炭素原子であってよく、前記官能基は下記（ｉｉ）によるフルオロ化化合物の官能基と反応しトリアジン環を形成することができる、１つ以上の飽和フルオロポリエーテル、
（ｉｉ）少なくとも１つのペルフルオロ化アルキル又はペルフルオロ化アルキレン部分を含有する１つ以上のフルオロ化化合物であって、前記ペルフルオロ化アルキル又はアルキレン部分の炭素原子は１つ以上の酸素原子により中断されていてもよく、前記フルオロ化化合物は、少なくとも１つ以上の前記フルオロポリエーテルの前記官能基と反応してトリアジンを形成することができる少なくとも１つの官能基を更に含有する、１つ以上のフルオロ化化合物、
を用意する工程、
ｂ）（ｉ）及び（ｉｉ）による前記成分を硬化させトリアジンを形成する工程、
を含む、製造方法。
［２］  前記フルオロポリエーテルエラストマーが、−８０℃未満のガラス転移温度を有する、上記［１］に記載の方法。
［３］  １つ以上の（ｉ）の前記フルオロポリエーテルが、１５，０００ｇ／モル未満の分子量を有する、上記［１］又は［２］に記載の方法。
［４］  前記フルオロポリエーテルの前記官能基がニトリル基である、上記［１］〜［３］のいずれか一項に記載の方法。
［５］  前記フルオロポリエーテルの前記官能基がニトリル基であり、前記フルオロ化化合物の前記官能基がアミジン、アミドラゾン、イミダート、アミドオキシム及びこれらの塩、並びにこれらの組み合わせから選択される部分を含む、上記［１］〜［４］のいずれか一項に記載の方法。
［６］  −４０℃未満のガラス転移温度と、少なくとも１．５ＭＰａの引張強度と、少なくとも５０％の破断伸度と、を有し、トリアジン基を有するフルオロポリエーテルエラストマーを含むエラストマー組成物の製造方法であって、
ａ）
（ｉ）（−Ｃ4Ｆ8Ｏ−）、（−Ｃ3Ｆ6Ｏ−）、（−Ｃ2Ｆ4Ｏ−）、若しくは（−ＣＦ2Ｏ−）又はこれらの組み合わせから選択される反復部分を含有し、更に少なくとも１つの官能基を前記骨格鎖の、又は存在する場合には側鎖の、端末炭素原子に含有する、１つ以上の飽和フルオロポリエーテルであって、前記端末炭素原子は第一級又は第二級の炭素原子であってよく、前記官能基は下記（ｉｉ）によるフルオロ化化合物の官能基と反応しトリアジンを形成することができる、１つ以上の飽和フルオロポリエーテル、
（ｉｉ）少なくとも１つのペルフルオロ化アルキル又はペルフルオロ化アルキレン部分を含有する１つ以上のフルオロ化化合物であって、前記ペルフルオロ化アルキル又はアルキレン部分の炭素原子は１つ以上の酸素原子により中断されていてもよく、前記フルオロ化化合物は、１つ以上の前記フルオロポリエーテルの前記官能基と反応してトリアジンを形成することができる少なくとも１つの官能基を更に含む、１つ以上のフルオロ化化合物、
（ｉｉｉ）少なくとも１つの充填剤、
を用意する工程、
ｂ）（ｉ）及び（ｉｉ）による前記成分を硬化させトリアジンを形成する工程、
を含む製造方法。
［７］  前記エラストマー組成物が少なくとも１００％の破断伸度を有する、上記［６］に記載の方法。
［８］  前記エラストマー組成物が少なくとも２ＭＰａの引張強度を有する、上記［６］又は［７］に記載の方法。
［９］  前記エラストマー組成物が少なくとも１５のショアＡ硬度を有する、上記［６］〜［８］のいずれか一項に記載の方法。
［１０］  トリアジン基並びに（−Ｃ4Ｆ8Ｏ−）、（−Ｃ3Ｆ6Ｏ−）、（−Ｃ2Ｆ4Ｏ−）、（−ＣＦ2Ｏ−）及びこれらの組み合わせから選択される繰り返し部分を含有するフルオロポリエーテルエラストマー、並びに少なくとも１つの充填剤を含む組成物であって、−４０℃未満のガラス転移温度、少なくとも１．５ＭＰａの引張強度、及び少なくとも５０％の破断伸度を有する、組成物。
［１１］  前記フルオロポリエーテルエラストマーが、
（ｉ）（−Ｃ4Ｆ8Ｏ−）、（−Ｃ3Ｆ6Ｏ−）、（−Ｃ2Ｆ4Ｏ−）、（−ＣＦ2Ｏ−）及びこれらの組み合わせから選択される反復部分を含有し、更に少なくとも１つの官能基を前記骨格鎖の、又は存在する場合には側鎖の、端末炭素原子に含有する、１つ以上の飽和フルオロポリエーテルであって、前記端末炭素原子は第一級又は第二級の炭素原子であってよく、前記官能基は下記（ｉｉ）によるフルオロ化化合物の官能基と反応しトリアジンを形成することができる、１つ以上の飽和フルオロポリエーテルと、
（ｉｉ）少なくとも１つのペルフルオロ化アルキル又はペルフルオロ化アルキレン部分であって、前記アルキル又はアルキレン部分の炭素原子は１つ以上の酸素原子により中断されていてもよい、ペルフルオロ化アルキル又はペルフルオロ化アルキレン部分と、１つ以上のフルオロポリエーテルの前記官能基と反応してトリアジンを形成することができる、少なくとも１つの官能基と、
を含有する、１つ以上のフルオロ化化合物、とのトリアジン形成反応の反応生成
物である、上記［１０］に記載の組成物。
［１２］  硬化性組成物であって、
（ｉ）（−Ｃ4Ｆ8Ｏ−）、（−Ｃ3Ｆ6Ｏ−）、（−Ｃ2Ｆ4Ｏ−）、（−ＣＦ2Ｏ−）又はこれらの組み合わせから選択される反復部分を含み、少なくとも１つの官能基を前記フルオロポリエーテルの前記骨格の、又は存在する場合には側鎖の、端末炭素原子に含む、１つ以上の（飽和）フルオロポリエーテルであって、前記端末炭素原子は第一級又は第二級の炭素原子であってよく、前記官能基は下記（ｉｉ）によるフルオロ化化合物の官能基と反応しトリアジンを形成することができる、１つ以上の（飽和）フルオロポリエーテルと、
（ｉｉ）少なくとも１つのペルフルオロ化アルキル又はペルフルオロ化アルキレン部分を含有し、前記アルキル又はアルキレン部分の炭素原子は１つ以上の酸素原子により中断されていてもよい、ペルフルオロ化アルキル又はペルフルオロ化アルキレン部分と、１つ以上の前記フルオロポリエーテルの前記官能基と反応してトリアジンを形成することができる少なくとも１つの官能基を含有する、１つ以上のフルオロ化化合物と、
を含む、硬化性組成物。
［１３］  液体又はペーストである上記［１２］に記載の硬化性組成物。
［１４］  上記［１０］又は［１１］に記載の組成物を含む成形物品。
［１５］  上記［１２］又は［１３］に記載の組成物の、射出又は圧縮成形を含む、物品の製造方法。
【手続補正２】
【補正対象書類名】特許請求の範囲
【補正対象項目名】全文
【補正方法】変更
【補正の内容】
【特許請求の範囲】
【請求項１】
トリアジン基を含み、−４０℃未満のガラス転移温度を有する、フルオロポリエーテルエラストマーの製造方法であって、
ａ）
（ｉ）（−Ｃ4Ｆ8Ｏ−）、（−Ｃ3Ｆ6Ｏ−）、（−Ｃ2Ｆ4Ｏ−）、（−ＣＦ2Ｏ−）及びこれらの組み合わせから選択される反復部分を含有し、更に少なくとも１つの官能基を前記骨格鎖の、又は存在する場合には側鎖の、端末炭素原子に含有する、１つ以上の飽和フルオロポリエーテルであって、前記端末炭素原子は第一級又は第二級の炭素原子であってよく、前記官能基は下記（ｉｉ）によるフルオロ化化合物の官能基と反応しトリアジン環を形成することができる、１つ以上の飽和フルオロポリエーテル、
（ｉｉ）少なくとも１つのペルフルオロ化アルキル又はペルフルオロ化アルキレン部分を含有する１つ以上のフルオロ化化合物であって、前記ペルフルオロ化アルキル又はアルキレン部分の炭素原子は１つ以上の酸素原子により中断されていてもよく、前記フルオロ化化合物は、少なくとも１つ以上の前記フルオロポリエーテルの前記官能基と反応してトリアジンを形成することができる少なくとも１つの官能基を更に含有する、１つ以上のフルオロ化化合物、
を用意する工程、
ｂ）（ｉ）及び（ｉｉ）による前記成分を硬化させトリアジンを形成する工程、
を含む、製造方法。
【請求項２】
１つ以上の（ｉ）の前記フルオロポリエーテルが、１５，０００ｇ／モル未満の分子量を有する、請求項１に記載の方法。
【請求項３】
トリアジン基並びに（−Ｃ4Ｆ8Ｏ−）、（−Ｃ3Ｆ6Ｏ−）、（−Ｃ2Ｆ4Ｏ−）、（−ＣＦ2Ｏ−）及びこれらの組み合わせから選択される繰り返し部分を含有するフルオロポリエーテルエラストマー、並びに少なくとも１つの充填剤を含む組成物であって、−４０℃未満のガラス転移温度、少なくとも１．５ＭＰａの引張強度、及び少なくとも５０％の破断伸度を有する、組成物。
【請求項４】
硬化性組成物であって、
（ｉ）（−Ｃ4Ｆ8Ｏ−）、（−Ｃ3Ｆ6Ｏ−）、（−Ｃ2Ｆ4Ｏ−）、（−ＣＦ2Ｏ−）又はこれらの組み合わせから選択される反復部分を含み、少なくとも１つの官能基を前記フルオロポリエーテルの前記骨格の、又は存在する場合には側鎖の、端末炭素原子に含む、１つ以上の（飽和）フルオロポリエーテルであって、前記端末炭素原子は第一級又は第二級の炭素原子であってよく、前記官能基は下記（ｉｉ）によるフルオロ化化合物の官能基と反応しトリアジンを形成することができる、１つ以上の（飽和）フルオロポリエーテルと、
（ｉｉ）少なくとも１つのペルフルオロ化アルキル又はペルフルオロ化アルキレン部分を含有し、前記アルキル又はアルキレン部分の炭素原子は１つ以上の酸素原子により中断されていてもよい、ペルフルオロ化アルキル又はペルフルオロ化アルキレン部分と、１つ以上の前記フルオロポリエーテルの前記官能基と反応してトリアジンを形成することができる少なくとも１つの官能基を含有する、１つ以上のフルオロ化化合物と、
を含む、硬化性組成物。
【請求項５】
請求項３に記載の組成物を含む成形物品。